(57)【特許請求の範囲】
【請求項１】
使用者が把持するためのつまみ部と、
歯ブラシの毛が形成され、前記つまみ部と連結されたヘッド部と、
前記ヘッド部に設けられ前記ヘッド部を上方に所定角度ティルティング可能にするティルティング部と、
前記つまみ部及び前記ヘッド部に設けられ、前記ヘッド部が前記つまみ部に対し回転しＴ字をなすようにする回転部と、
前記ヘッド部の回転及びティルティングが同時に行われるよう前記ヘッド部を作動するための駆動部と、を含み、
前記ヘッド部は、歯ブラシの毛が植毛されたベースと、前記ベースの上部面に一体に設けられ、前記つまみ部に挿入支持される支持台とで構成され、
前記駆動部は、前記つまみ部の外側に軸を中心に前後方向に押圧可能に設けられたノブと、前記つまみ部の内部に設けられ、前記ノブの作動により前後方向に移動されるよう、前方段差傾斜面と後方段差傾斜面が形成されたロッドと、を含み、
前記回転部は、前記ティルティング部に突出形成され前記ロッドに回転可能に結合された回転具と、前記支持台の外周面に形成された第１ギアと、前記つまみ部に形成された回転支持面の内側面に形成され、前記第１ギアと噛み合う第２ギアとを含んでなることを特徴とする回転歯ブラシ。
【請求項２】
前記ティルティング部は、前記支持台の上部面に球状に設けられ、前記つまみ部に形成されたティルティング支持面を中心に動くことを特徴とする請求項１に記載の回転歯ブラシ。
【請求項３】
前記つまみ部の先端には、前記ヘッド部が前記ティルティング部により所定角度を超過してティルティングされることを阻止するためのストッパが形成されることを特徴とする請求項１に記載の回転歯ブラシ。
【請求項４】
使用者が把持するためのつまみ部と、
歯ブラシの毛が形成され、前記つまみ部と連結されたヘッド部と、
前記ヘッド部に設けられ前記ヘッド部を上方に所定角度ティルティング可能にするティルティング部と、
前記つまみ部及び前記ヘッド部に設けられ、前記ヘッド部が前記つまみ部に対し回転しＴ字をなすようにする回転部と、
前記ヘッド部の回転及びティルティングが同時に行われるよう前記ヘッド部を作動するための駆動部と、を含み、
前記ヘッド部は、歯ブラシの毛が植毛されたベースと、前記ベースの上部面に一体に設けられ、前記つまみ部に挿入支持される支持台とで構成され、
前記ティルティング部は、前記つまみ部の横方向に前記ベースに形成されたティルティング軸と、前記支持台に形成され前記ティルティング軸を支持する軸支持部で構成され、前記ベースが前記ティルティング軸を中心に前記支持台に対しティルティングされ、
前記つまみ部は、使用者が把持するためのつまみ本体と、前記つまみ本体の先端に後方に傾いた形状に形成され、前記支持台が挿入される挿入本体とで構成され、
前記回転部は、前記挿入本体の内側面に円周方向に沿って突出形成された回転突起と、前記支持台の外側面に陷沒形成され、前記支持台が回転するとき前記回転突起を案内する回転溝とで構成されることを特徴とする回転歯ブラシ。
【請求項５】
前記駆動部は、
前記つまみ本体の外側に前後方向に摺動可能に設けられ、前進後前記つまみ本体に形成された固定溝に係止される固定突起が形成されたノブと、
前記つまみ本体の内部に前記ノブと一体に連結され前記支持台を回転させるためのロッドと、
前記つまみ本体の内部に設けられ、前記固定突起が前記固定溝から解除されるとき前記ロッドを復元させる復元部材と、を含んでなることを特徴とする請求項４に記載の回転歯ブラシ。
【請求項６】
前記ロッドの先端後方には、横方向に加圧突起が突出形成されており、
前記支持台の円周面には、前記ロッドが進むとき前記ロッドの先端が支持される先端溝と、前記先端溝から時計方向に沿って離隔された位置に前記加圧突起が支持される加圧突起溝が形成されており、
前記ノブを前進させると、前記ロッドの先端が前記先端溝に支持されたまま前記支持台を所定角度回転させ、そのあと前記加圧突起溝で支持される前記加圧突起が前記支持台をさらに回転させ、前記支持台が９０度回転されることを特徴とする請求項５に記載の回転歯ブラシ。
【請求項７】
前記挿入本体を覆うキャップをさらに備え、
前記駆動部は、前記キャップの先端に下向き突出形成された案内突起と、中央から両側に行くほど窪みが深くなるよう前記ベースに陷沒形成され、前記案内突起が案内される案内溝とをさらに含み、
前記ベースは、前記回転部を中心に回転するとき、前記案内突起が前記案内溝に沿って移動しながら前記ティルティング部を中心にティルティングされることを特徴とする請求項６に記載の回転歯ブラシ。
【請求項８】
前記キャップには、前記ヘッド部を分離させるためのボタンが押圧可能に設けられることを特徴とする請求項７に記載の回転歯ブラシ。
【請求項９】
前記挿入本体の内側面には、前記支持台が９０度回転したあと逆回転することを防止するための逆回転防止突起が形成された区切板が形成され、
前記支持台の上部面には、前記逆回転防止突起が挿入される逆回転防止溝が形成されることを特徴とする請求項４に記載の回転歯ブラシ。
【発明の詳細な説明】
【技術分野】
【０００１】
本発明は、回転歯ブラシに係わり、より詳しくは、歯磨きを上下方向又は左右方向に自在にすることができるだけでなく、特に、下側前歯の下部まで歯ブラシの毛が届くことのできる回転歯ブラシに関する。
【背景技術】
【０００２】
一般に使われる歯ブラシは、つまみ部と歯ブラシの毛が形成されたヘッド部が一字形に構成されている。ところが、一字形歯ブラシで歯を磨く時には左右方向に歯磨きをすることになり、歯牙の間に挟まった異物が完全に除去されないだけでなく、琺瑯質（enamel）が損傷され易く、歯牙疾患の主な原因となる。これを防止するため、歯を磨くとき歯ぐきから歯牙端へくしけずるように使うよう推奨されているが、一字形歯ブラシの場合、構造的に上下方向に動きにくいため、習慣的に左右方向に歯磨きをすることになり、琺瑯質の損傷を基本的に防止することができないとの問題点がある。
【０００３】
一方、一字形歯ブラシで上下方向に歯磨きをするとしても、手首関節の動きが多いので手首関節が損傷され易いとの問題点がある。ここに、歯磨きを上下方向に容易にできるよう、特許文献１（韓国実用新案登録第０２６６６２１号）にはＴ字形の歯ブラシが開示されている。ところが、従来のＴ字形歯ブラシの場合は、上下方向への歯磨き（前歯及び犬歯などを磨く時）は容易であるが、左右方向への歯磨き（奥歯などを磨く時）が困難であるとの問題点がある。
【０００４】
さらに、一般に、下側前歯は下から上に行くほど前に突出した構造でなるところ、従来のＴ字形歯ブラシの場合は、図１に示すように、歯ブラシの毛１２１ａが歯牙と並んだ角度でなるため、下側前歯（Ｔ'）の下部まで歯ブラシの毛１２１ａが届かなくなる。このとき、下側前歯（Ｔ'）の下部を磨くため、つまみ部１１０をあごのある方向に引き寄せる場合もまたつまみ部１１０があごにかかるので、結局、下側前歯（Ｔ'）の下部は歯ブラシの毛１２１ａが届かなくなる。ここに、下側前歯（Ｔ'）の下部に特に歯石が多く発生することになり、デンタルフロスを使わなければならない回数が多くなり、歯磨きの時間が多く必要となるとの問題点がある。
【先行技術文献】
【特許文献】
【０００５】
【特許文献１】韓国実用新案登録第０２６６６２１号公報
【発明の概要】
【発明が解決しようとする課題】
【０００６】
したがって、本発明の目的は、歯磨きを上下方向又は左右方向に自在にすることができるだけでなく、特に、下側前歯の下部まで歯ブラシの毛が届く構造でなる回転歯ブラシを提供することにある。
【課題を解決するための手段】
【０００７】
前記目的は、本発明の第１実施例に係る回転歯ブラシに従い、使用者が把持するためのつまみ部と、歯ブラシの毛が形成され、前記つまみ部と連結されたヘッド部と、前記ヘッド部に設けられ前記ヘッド部を上方に所定角度ティルティング可能にするティルティング部と、前記つまみ部及び前記ヘッド部に設けられ、前記ヘッド部が前記つまみ部に対し回転しＴ字をなすようにする回転部と、前記ヘッド部の回転及びティルティングが同時に行われるよう前記ヘッド部を作動するための駆動部とにより達成される。
【０００８】
ここで、前記ヘッド部は、歯ブラシの毛が植毛されたベースと、前記ベースの上部面に一体に設けられ、前記つまみ部に挿入支持される支持台とで構成されることが好ましい。前記ティルティング部は、前記支持台の上部面に球状に設けられ、前記つまみ部に形成されたティルティング支持面を中心に動くのがよい。前記駆動部は、前記つまみ部の外側に軸を中心に前後方向に押圧可能に設けられたノブと、前記つまみ部の内部に設けられ、前記ノブの作動により前後方向に移動されるよう、前方段差傾斜面と後方段差傾斜面が形成されたロッドとを含むのが好ましい。前記回転部は、前記ティルティング部に突出形成され前記ロッドに回転可能に結合された回転具と、前記支持台の外周面に形成された第１ギアと、前記つまみ部に形成された回転支持面の内側面に形成され前記第１ギアと噛み合う第２ギアとを含んでなるのがよい。前記つまみ部の先端には、前記ヘッド部が前記ティルティング部により所定角度を超過してティルティングされることを阻止するためのストッパが形成されるのが好ましい。
【０００９】
さらに、前記目的は、本発明の第２実施例に係る回転歯ブラシに従い、使用者が把持するためのつまみ部と、歯ブラシの毛が形成され、前記つまみ部と連結されたヘッド部と、前記ヘッド部に設けられ前記ヘッド部を上方に所定角度ティルティング可能にするティルティング部と、前記つまみ部及び前記ヘッド部に設けられ、前記ヘッド部が前記つまみ部に対し回転されＴ字をなすようにする回転部と、前記ヘッド部の回転及びティルティングが同時に行われるよう前記ヘッド部を作動するための駆動部とにより達成される。
【００１０】
ここで、前記ヘッド部は、歯ブラシの毛が植毛されたベースと、前記ベースの上部面に一体に設けられ、前記つまみ部に挿入支持される支持台とで構成されるのが好ましい。前記ティルティング部は、前記つまみ部の横方向に前記ベースに形成されたティルティング軸と、前記支持台に形成され前記ティルティング軸を支持する軸支持部で構成され、前記ベースが前記ティルティング軸を中心に前記支持台に対しティルティングされるのがよい。
【００１１】
なお、前記つまみ部は、使用者が把持するためのつまみ本体と、前記つまみ本体の先端に後方に傾いた形状に形成され、前記支持台が挿入される挿入本体とで構成されるのが好ましい。この時、前記挿入本体の内側面には、前記支持台が９０度回転したあと逆回転することを防止するための逆回転防止突起が形成された区切板が形成され、前記支持台の上部面には、前記逆回転防止突起が挿入される逆回転防止溝が形成されるのがよい。前記回転部は、前記挿入本体の内側面に円周方向に沿って突出形成された回転突起と、前記支持台の外側面に陷沒形成され、前記支持台が回転するとき前記回転突起を案内する回転溝とで構成されるのが好ましい。
【００１２】
前記駆動部は、前記つまみ本体の外側に前後方向に摺動可能に設けられ、前進後前記つまみ本体に形成された固定溝に係止される固定突起が形成されたノブと、前記つまみ本体の内部に前記ノブと一体に連結され前記支持台を回転させるためのロッドと、前記つまみ本体の内部に設けられ、前記固定突起が前記固定溝から解除されるとき前記ロッドを復元させる復元部材とを含んでなるのがよい。前記ロッドの先端後方には、横方向に加圧突起が突出形成されており、前記支持台の円周面には、前記ロッドが進むとき前記ロッドの先端が支持される先端溝と、前記先端溝から時計方向に沿って離隔された位置に前記加圧突起が支持される加圧突起溝が形成されているので、前記ノブを前進させると、前記ロッドの先端が前記先端溝に支持されたまま前記支持台を所定角度回転させ、そのあと前記加圧突起溝で支持される前記加圧突起が前記支持台をさらに回転させ、前記支持台が９０度回転されるのが好ましい。
【００１３】
前記挿入本体を覆うキャップをさらに備え、前記駆動部は、前記キャップの先端に下向き突出形成された案内突起と、中央から両側に行くほど窪みが深くなるよう前記ベースに陷沒形成され、前記案内突起が案内される案内溝とをさらに含み、前記ベースは、前記回転部を中心に回転するとき、前記案内突起が前記案内溝に沿って移動しながら前記ティルティング部を中心にティルティングされるのがよい。前記キャップには、前記ヘッド部を分離させるためのボタンが押圧可能に設けられるのが好ましい。
【発明の効果】
【００１４】
以上で説明したように、本発明に従えば、ヘッド部とつまみ部がＴ字をなした状態であるとき、ヘッド部が上方に所定角度ティルティングされる構造となるので、歯ブラシの毛が下側前歯の下部まで届くことができるので、歯石が発生することを最大限防止することのできる回転歯ブラシが提供される。さらに、ヘッド部とつまみ部の回転状態を自在に作動することができる構造（即ち、ヘッド部とつまみ部が一字をなすように、又はＴ字をなすようにする構造）であるので、奥歯を磨く時は一字になるようにし、前歯や犬歯を磨く時はＴ字になるように回転させることができるので、使用上便利であり得る。
【図面の簡単な説明】
【００１５】
【図１】従来のＴ字形歯ブラシの問題点を説明するための図である。
【図２】本発明の第１実施例に係る回転歯ブラシを示した断面図である。
【図３】図２の主要構成を示した分離斜視図である。
【図４】図３の結合斜視図である。
【図５】図２に示した状態でノブの後方を押圧したとき、ヘッド部が大凡２０度程度上方にティルティングされながら大凡９０度回転し、つまみ部とＴ字をなした状態を表す断面図である。
【図６】ヘッド部がつまみ部と一字をなした状態で回転し、Ｔ字をなすとき、ヘッド部がつまみ部に対しティルティングされた程度を概略的に表す斜視図である。
【図７】ヘッド部がつまみ部と一字状態の場合を表す平面図である。
【図８】ノブの加圧によりロッドが僅かに後進する場合、ヘッド部が上方にティルティングされながら大凡４５度程度回転した状態を表す平面図である。
【図９】図８に示したロッドがさらに後進する場合、ヘッド部が図８に比べ大凡２０度までティルティングされながら大凡９０度まで回転し、つまみ部とＴ字をなした状態を表す平面図である。
【図１０】図５の状態で歯磨きする場合、歯ブラシの毛が下側前歯の下部に触れる形状を概略的に示す側面図である。
【図１１】本発明の第２実施例に係る回転歯ブラシを示す断面図である。
【図１２】図１１の主要構成を示す分離斜視図である。
【図１３】図１２の結合斜視図である。
【図１４】図１１の状態でノブをＱ'方向に摺動させたとき、ヘッド部が大凡２０度程度上方にティルティングされながら大凡９０度回転され、つまみ部とＴ字をなした状態を表す断面図である。
【図１５】図１１に示したノブを前方に摺動させたとき、ロッドの先端が先端溝に支持された状態を示す断面図である。
【図１６】図１５の状態でノブを前方にさらに押したとき、支持台がティルティングされながら大凡６０度程度回転された状態を示す断面図である。
【図１７】図１６の状態でノブを前方に最大限に押したとき、支持台が２０度までティルティングされながら大凡９０度まで回転され、ヘッド部とつまみ部がＴ字をなした状態を示す断面図である。
【発明を実施するための形態】
【００１６】
以下では、図を参照して、本発明について詳しく説明する。
【実施例１】
【００１７】
本発明の第１実施例に係る回転歯ブラシ１は、図２乃至図４に示したように、大きくつまみ部１０と、歯ブラシの毛２１ａが形成されたヘッド部２０と、ヘッド部２０をつまみ部１０に対し所定角度ティルティング可能にするティルティング部３０と、ヘッド部２０がつまみ部１０に対しＴ字をなすように回転させる回転部４０と、ヘッド部２０が回転及びティルティングされるようにヘッド部２０を作動するための駆動部５０とで構成される。
【００１８】
つまみ部１０は使用者が把持するためのものであって、第１つまみ部１１と第２つまみ部１２に分離製作され、該第１つまみ部１１及び第２つまみ部１２はねじ方式で一体に結合される。このとき、第１つまみ部１１及び第２つまみ部１２の結合構造はこれに限定されず、公知の範囲内の結合構造の何れでもよい。第１つまみ部１１は、左側本体１３と右側本体１４に分離製作されたあと、一体に結合される。このとき、左側本体１３と右側本体１４の結合構造は凹凸構造でなされ得るが、これに限定されず、公知の範囲内の結合構造の何れでもよい。第１つまみ部１１の内部は、後述のロッド５２が前後方向に摺動可能に構成される。なお、第１つまみ部１１の先端には、ヘッド部２０がティルティング部３０により上方にティルティングされるとき、所定角度（θ、図６を参照）を超過してティルティングされないようヘッド部２０を沮止するストッパ１７が下方に延長形成されている。ここで、ヘッド部２０がティルティングされる角度（θ）は大凡５〜４０度であるが、より好ましくは２０度であり、このためストッパ１７は、ヘッド部２０が大凡２０度を超過してティルティングされない程度まで第１つまみ部１１の先端から延長形成されなければならない。
【００１９】
ヘッド部２０は、下部面に歯ブラシの毛２１ａが植毛されたベース２１と、ベース２１の上部面に一体に形成され第１つまみ部１１に挿入支持される支持台２２とで構成される。このとき、支持台２２の外周面には、回転部４０を構成する第１ギア４１が形成されている。ティルティング部３０は、支持台２２の上部面に球状でなり、第１つまみ部１１に形成されたティルティング支持面１５を中心に動くようになる。このとき、ティルティング部３０には後述の回転具３５が突出形成されており、該回転具３５は後述のロッド５２に形成された回転具結合溝５３に回転可能にロッド５２と一体に結合される。ティルティング支持面１５は、互いに分離製作された左側本体１３及び右側本体１４に対称をなすように形成される。
【００２０】
回転部４０は、普段つまみ部１０と一字状に配置されたヘッド部２０を大凡９０度程度回転させ、つまみ部１０とＴ字をなすようにするためのものであって、ティルティング部３０に突出形成されロッド５２に形成された回転具結合溝５３に回転可能に結合された回転具３５と、支持台２２の外周面に形成された第１ギア４１と、第１つまみ部１１に形成された回転支持面１６の内側面に形成され第１ギア４１と噛み合う第２ギア４２とで構成される。回転支持面１６は、ティルティング支持面１５と連通するようティルティング支持面１５の下側に形成されており、互いに分離製作された左側本体１３及び右側本体１４に対称をなすように形成される。
【００２１】
駆動部５０は、ヘッド部２０が回転及びティルティングが同時に行われるようにするためのものであって、第１つまみ部１１の外側に設けられるノブ５１と、ノブ５１と連動して前後方向に移動されティルティング部３０及び回転部４０を作動させるロッド５２とで構成される。ノブ５１は、第１つまみ部１１の外側に軸５１ａを中心に前後方向に押圧可能に設けられる。ロッド５２は、ノブ５１の押圧方向に沿って第１つまみ部１１の内部で前後方向に摺動可能に設けられるところ、このとき、使用者が軸５１ａを中心にノブ５１の後方（図５のＰを参照）を押せばロッド５２は後進（図５のＱを参照）することになり、ノブ５１の前方を押せばロッド５２は前進することになる。このため、ロッド５２には前方段差傾斜面５４と後方段差傾斜面５５が形成されているので、ノブ５１の後方がＰ方向に押圧されると、後方段差傾斜面５５が加圧されながらロッド５２がＱ方向に後進可能であり（図５を参照）、ノブ５１の前方が押圧されると、前方段差傾斜面５４が加圧されながらロッド５２が前進し元の位置に復元される（図２を参照）。一方、ロッド５２の先端には、回転具３５が回転可能に結合されるための回転具結合溝５３が陷沒形成されている。
【００２２】
このような構成により、本発明の第１実施例に係る回転歯ブラシ１がティルティング及び回転される原理を、図７乃至図９を参照して簡単に説明する。先ず、ヘッド部２０とつまみ部１０が一字をなす初期状態は、図７の通りである。
その後、使用者がノブ５１の裏側をＰ方向（図５を参照）へ僅かに押圧すると、後方段差傾斜面５５がノブ５１により加圧され、ロッド５２が図６及び図８に示されたＱ方向（つまみ部１０の後面方向）に僅かに後進することになり、ロッド５２に沿って回転部の回転具３５が図６及び図８に示されたＱ方向（つまみ部１０の後方）に動くことになり、ここに、ティルティング部３０は回転具３５に沿って後に動くとともに、図６及び図８に示されたＱの反対方向に向かって所定角度（θ）上向き回転し、ティルティング部３０と連動して支持台２２が所定角度（θ）上向き回転しながらヘッド部２０がティルティングされる。
このとき、支持台２２に形成された第１ギア４１と第１つまみ部１１に形成された第２ギア４２とが噛み合わされているので、支持台２２は上向き回転するとともに、第１ギア４１が第２ギア４２に沿って噛み合いながら図６に示したＲ方向（時計方向）に水平回転させ、ここに、支持台２２と連動してヘッド部２０が水平回転されるものである。
【００２３】
次に、図８の状態でノブ５１の後方をＰ方向へ完全に加圧すると、ロッド５２は図９に示したようにＱ方向へ完全に後進することになる。ここに、ティルティング部３０は回転具３５に沿って後へ完全に動くとともに上向き回転することになり、ティルティング部３０と連動して支持台２２が完全に上向き回転するとともに、第１ギア４１及び第２ギア４２の噛合いにより図６に示したＲ方向（時計方向）に水平回転するため、ティルティング部３０と連結されたヘッド部２０は、上方に完全にティルティングされるとともに４５度程度さらに回転され得る。
結局、前記図７乃至図９の過程により、ヘッド部２０がつまみ部１０とＴ字をなした状態は図６の通りである。即ち、初期にはヘッド部２０がつまみ部１０と一字をなしているが、ノブ５１を押圧すると、ヘッド部２０が所定角度（θ）ティルティングされるとともに大凡９０度回転し、つまみ部１０とＴ字をなすことになる。
【００２４】
前記構成に係る第１実施例の回転歯ブラシ１によれば、ヘッド部２０とつまみ部１０がＴ字をなした状態であるとき、ヘッド部２０が上方に所定角度（θ）ティルティングされる構造になるので、歯ブラシの毛２１ａが図１０に示したように下側前歯（Ｔ）の下部まで届くことができるので、歯石の発生を最大限防止することができ、歯磨きの時間が短縮され得るとの利点がある。さらに、ヘッド部２０とつまみ部１０の回転状態を自在に作動することができる構造（即ち、ヘッド部２０とつまみ部１０が一字をなすように、又はＴ字をなすようにする構造）であるので、奥歯を磨く時は一字になるようにし、前歯や犬歯を磨く時はＴ字になるように回転させることができるので、使用上便利な利点がある。
【実施例２】
【００２５】
本発明の第２実施例に係る回転歯ブラシ２０１は、ヘッド部２２０が回転されつまみ部２１０とＴ字をなすとともに上方に所定角度ティルティング可能な構造でなっているとの点で、第１実施例の回転歯ブラシ１と技術的思想が同一である。これを具現するための構造に対し、図１１乃至図１４を参照して説明する。本発明の第２実施例に係る回転歯ブラシ２０１は、大きくつまみ部２１０と、歯ブラシの毛２２１ａが形成されたヘッド部２２０と、ヘッド部２２０をつまみ部２１０に対し所定角度ティルティング可能にするティルティング部２３０と、ヘッド部２２０がつまみ部２１０に対しＴ字をなすように回転させる回転部２４０と、ヘッド部２２０が回転及びティルティングされるようにヘッド部２２０を作動するための駆動部２５０とで構成される。
【００２６】
つまみ部２１０は、使用者が把持するためのつまみ本体２１１と、つまみ本体２１１の先端に後方へ傾いた形状に形成され、後述のベース２２１の支持台２２２が挿入される挿入本体２１２とで構成される。挿入本体２１２の内側面には区切板２１３が形成されており、該区切板２１３の底面には後述の支持台２２２に形成された逆回転防止溝２２３に嵌め込まれる逆回転防止突起２１４が下向き突出形成されており、板面には後述のボタン２７０の押圧脚２７２が通過するための通過孔２１３ａが形成されている。ヘッド部２２０は、歯ブラシの毛２２１ａが植毛されたベース２２１と、ベース２２１の上部面に一体に結合され挿入本体２１２に挿入支持される支持台２２２とで構成される。このとき、ベース２２１と支持台２２２はティルティング部２３０により連結されることにより、ベース２２１が支持台２２２に対し上下方向にティルティング可能である。
【００２７】
支持台２２２の円周面には、後述のロッド２５２の先端２５２ａ（図１５を参照）が支持される先端溝２２２ａと、時計方向に沿って先端溝２２２ａから離隔された位置に後述の加圧突起２５３が支持される加圧突起溝２２２ｂが形成されている。このとき、先端溝２２２ａと加圧突起溝２２２ｂが一対をなして支持台２２２が９０度回転可能であるが、本実施例では、先端溝２２２ａと加圧突起溝２２２ｂが四対でなり支持台２２２が３６０度回転可能に構成される。さらに、支持台２２２の上部面には、逆回転防止突起２１４が挿入される逆回転防止溝２２３が９０度間隔で陷沒形成されることにより、支持台２２２が０度から９０度回転される度に逆回転防止突起２１４が逆回転防止溝２２３に嵌め込まれることになり支持台２２２がその位置で固定され得る。
【００２８】
ティルティング部２３０は、つまみ部２１０の横方向にベース２２１に形成されたティルティング軸２３１と、支持台２２２に形成されティルティング軸２３１を支持する軸支持部２３２とで構成される。回転部２４０は、ヘッド部２２０がつまみ部２１０に対し３６０度回転可能にするものであって、挿入本体２１２の内側面に円周方向に沿って突出形成された回転突起２４１と、支持台２２２の外側面に陷沒形成され支持台２２２が回転可能に回転突起２４１を案内する回転溝２４２とで構成される。ここで、回転溝２４２に回転突起２４１が組立可能にするため、支持台２２２の上部面には放射方向に複数の切欠線２２４を形成するのが好ましい。一般に、支持台２２２は所定の弾性を有するプラスチック材質で製作されるが、このとき、上部面に切欠線２２４を形成し上部面に弾性がさらに与えられるようにすることにより、支持台２２２を挿入本体２１２に挿入させるとき、上部面が多少弾性変形されることにより、回転突起２４１が回転溝２４２に嵌め込まれ得るようになる。
【００２９】
駆動部２５０は、つまみ本体２１１の外側に前後方向に摺動可能に設けられたノブ２５１と、つまみ本体２１１の内部にノブ２５１と一体に連結され支持台２２２を回転させるためのロッド２５２と、つまみ本体２１１の内部に設けられロッド２５２を復元させるための復元部材２５４とで構成される。ノブ２５１の先端には、つまみ本体２１１の外側に形成された固定溝２１１ａに係止される固定突起２５１ａが形成されている。ロッド２５２は、ノブ２５１と一体に形成されノブ２５１が前後方向に摺動するとき共に動く。ここに、ノブ２５１が前方に移動すれば、ロッド２５２もまた前方に直線移動し支持台２２２を加圧して回転させ、ノブ２５１が後方に移動すると、ロッド２５２もまた後方に直線移動し元の所に戻ってくることになる。このとき、ロッド２５２の先端２５２ａの一側には横方向に加圧突起２５３が突出形成されている。加圧突起２５３は、支持台２２２に形成された加圧突起溝２２２ｂに係止され、支持台２２２を９０度まで完全に回転させる役割を果たす。即ち、ロッド２５２の先端２５２ａが先端溝２２２ａに係止され支持台２２２を一定角度回転させると、ロッド２５２の先端２５２ａの後方に位置した加圧突起２５３は、加圧突起溝２２２ｂに係止されたまま支持台２２２をさらに回転させ、支持台２２２が９０度まで完全に回転されるようにするのである。
【００３０】
復元部材２５４は、一端がつまみ本体２１１に結合され、他端がロッド２５２に結合され、普段には図１１に示したように圧縮された状態にありながら、ノブ２５１が前進してからは図１４に示したように引き伸ばされる。このとき、ノブ２５１が図１４に示したように前進したあと、固定突起２５１ａが固定溝２１１ａに嵌め込まれると、ヘッド部２２０がつまみ部２１０に対し９０度回転された状態が維持され、固定突起２５１ａを固定溝２１１ａで解除すれば、復元部材２５４の復元力によりノブ２５１は自動に復元され、図１１のような状態となる。一方、駆動部２５０は、ロッド２５２により支持台２２２が回転するときベース２２１が支持台２２２に対しティルティング可能にするところ、このため、挿入本体２１２を覆うキャップ２６０の先端には案内突起２５５を形成し、ベース２２１には案内突起２５５が案内される案内溝２５６を形成した。案内突起２５５はキャップ２６０の先端に下向き突出形成されており、案内溝２５６はベース２２１の板面に中央から両側に行くほど窪みが深くなるよう陷沒形成されている。このとき、案内溝２５６はベース２２１の前方及び後方にそれぞれ形成されているところ、これはヘッド部２２０が０度〜３６０度回転するとき案内突起２５５が案内可能であるようにするためである。
【００３１】
一方、キャップ２６０には、挿入本体２１２に結合されたヘッド部２２０を分離させるためのボタン２７０が押圧可能に結合されている。ここに、使用者は歯ブラシの毛２２１ａが触れた場合、ボタン２７０を押してヘッド部２２０をつまみ部２１０から分離させたあと、他のヘッド部に取り替えることができるようになる。このため、キャップ２６０の上部面にはボタン２７０が押圧可能にボタン作動部２６０ａが形成されている。ボタン２７０は、使用者が押すための操作本体２７１と、操作本体２７１の底面に延長形成され区切板２１３に形成された通過孔２１３ａを通過し、支持台２２２の上部面と接触する押圧脚２７２とで構成される。ここに、使用者がヘッド部２２０を取り替えるためボタン２７０を下に押せば、その加圧力により支持台２２２の上部面に接触されていた押圧脚２７２が支持台２２２を下に押すことになり、回転突起２４１と回転溝２４２との間の係止が解除され、ヘッド部２２０がつまみ部２１０から分離され得る。
【００３２】
このような構成により、本発明の第２実施例に係る回転歯ブラシ２０１がティルティング及び回転される原理を、図１５乃至図１７を参照して簡単に説明する。先ず、ヘッド部２２０とつまみ部２１０が一字をなす初期状態は図１１の通りである。このとき、使用者がノブ２５１をＱ'方向に押せば、ロッド２５２の先端２５２ａは、図１５に示したように支持台２２２の先端溝２２２ａに支持された状態となる。その後、使用者がノブ２５１をＱ'方向にさらに押せば、図１６に示したように、ロッド２５２の先端２５２ａが先端溝２２２ａに支持された状態でさらに前進しながら支持台２２２がＲ'方向に大凡６０度まで回転することになり、このとき、加圧突起２５３は支持台２２２の加圧突起溝２２２ｂに着くことになる。一方、支持台２２２が大凡６０度回転する間、ベース２２１はティルティング軸２３１を中心に上方にティルティングされる。
【００３３】
次に、使用者がノブ２５１をＱ'方向にさらに押せば、ロッド２５２の先端２５２ａは先端溝２２２ａから離脱した状態となり、このとき、加圧突起２５３が加圧突起溝２２２ｂに支持された状態で前進すれば、図１７に示したように、支持台２２２がＲ'方向にさらに回転し、ヘッド部２２０とつまみ部２１０が図１４に示したように大凡９０度（Ｔ字状）をなすことになる。一方、支持台２２２が大凡６０度から９０度まで回転する間、ベース２２１はティルティング軸２３１を中心に完全に上方にティルティングされる。ここで、支持台２２２が大凡０度から９０度まで回転する間、ベース２２１がティルティング軸２３１を中心にティルティングされる角度は大凡５〜４０度であるが、より好ましくは２０度がよい。
【００３４】
前記構成に係る第２実施例の回転歯ブラシ２０１によれば、第１実施例で説明したように、ヘッド部２２０とつまみ部２１０がＴ字をなした状態であるとき、ヘッド部２２０が上方に所定角度（θ）ティルティングされる構造となるので、歯ブラシの毛２２１ａが下側前歯の下部まで届くことができるので、歯石の発生を最大限に防止することができ、歯磨きの時間が短縮され得るとの利点がある。さらに、ヘッド部２２０とつまみ部２１０の回転状態を自由自在に作動することができる構造（即ち、ヘッド部２２０とつまみ部２１０が一字をなすように、又はＴ字をなすようにする構造）であるので、奥歯を磨く時は一字となるようにし、前歯や犬歯を磨く時はＴ字となるように回転させることができるので、使用上便利であるとの利点がある。本発明は、前記実施例にのみ限定されるものではなく、本発明の思想及び範囲を外れない限り多様に変形可能であるのは当業者に自明であると言えるので、そのような変形例は本発明の請求範囲に属するものである。
【産業上の利用可能性】
【００３５】
本発明に係る回転歯ブラシによれば、ヘッド部とつまみ部がＴ字をなした状態であるとき、ヘッド部が上方に所定角度ティルティングされる構造になるので、歯ブラシの毛が下側前歯（Ｔ）の下部まで届くことができるので、歯石の発生を最大限防止することができ、歯磨きの時間が短縮され得るとの利点がある。
さらに、ヘッド部とつまみ部の回転状態を自在に作動することができる構造であるので、奥歯を磨く時は一字になるようにし、前歯や犬歯を磨く時はＴ字になるように回転させることができるので、使用上便利な利点がある。
【符号の説明】
【００３６】
１、２０１    回転歯ブラシ
１０、１１０、２１０    つまみ部
１１    第１つまみ部
１２    第２つまみ部
１３    左側本体
１４    右側本体
１５    ティルティング支持面
１６    回転支持面
１７    ストッパ
２０、２２０    ヘッド部
２１、２２１    ベース
２２、２２２    支持台
２１ａ、１２１ａ、２２１ａ    歯ブラシの毛
３０、２３０    ティルティング部
３５    回転具
４０、２４０    回転部
４１    第１ギア
４２    第２ギア
５０、２５０    駆動部
５１、２５１    ノブ
５１ａ  軸
５２、２５２    ロッド
５３    回転具結合溝
５４    前方段差傾斜面
５５    後方段差傾斜面
２１１  つまみ本体
２１１ａ    固定溝
２１２    挿入本体
２１３    区切板
２１３ａ    通過孔
２１４    逆回転防止突起
２２２ａ    先端溝
２２２ｂ    加圧突起溝
２２３    逆回転防止溝
２２４    切欠線
２３１    ティルティング軸
２３２    軸支持部
２４１    回転突起
２４２    回転溝
２５１ａ    固定突起
２５２ａ    ロッドの先端
２５３    加圧突起
２５４    復元部材
２５５    案内突起
２５６    案内溝
２６０    キャップ
２６０ａ    ボタン作動部
２７０    ボタン
２７１    操作本体
２７２    押圧脚
Ｔ、Ｔ'    下側前歯
【図１３】
0005400221.tif 000002
【図１４】
0005400221.tif 000003
【図１】
0005400221.tif 000004
【図２】
0005400221.tif 000005
【図３】
0005400221.tif 000006
【図４】
0005400221.tif 000007
【図５】
0005400221.tif 000008
【図６】
0005400221.tif 000009
【図７】
0005400221.tif 000010
【図８】
0005400221.tif 000011
【図９】
0005400221.tif 000012
【図１０】
0005400221.tif 000013
【図１１】
0005400221.tif 000014
【図１２】
0005400221.tif 000015
【図１５】
0005400221.tif 000016
【図１６】
0005400221.tif 000017
【図１７】
0005400221.tif 000018